(57)【要約】【課題】インターホン子機ケースのマイクロホン装置の全面への水滴が溜まるのを防止すると共に、溜まっても外部の音が正常に伝達でき良好な通信状態を確保するインターホン子機を提供する。【解決手段】インターホン子機ケースにマイクロホンを装着する為のマイクロホン支持体のマイクロホンが挿着される反対側の面の外周に第１の突部を設けその内側に第１の突部より高い環状の第２の突部を設け第１の突部で防水シートをケースに挟設し第２の突部を防水シートに押し当てる。【選択図】  図１
2004187229.tif 000002
【特許請求の範囲】
【請求項１】
マイクロホンと、一端にこのマイクロホンを挿着する為の開口部を、他端にその外周に第１の環状突部、内周に前記第１の環状突部より高い第２の環状突部、中央に開口部を有するマイクロホン支持体と、前記マイクロホン支持体が挿着される底部に長孔を有する凹部がその内側に設けられた本体ケースと、前記本体ケース凹部の底面と前記マイクロホン支持体の第１の突部の外縁部により挟設された防水シートからなり、前記防水シートが前記マイクロホン支持体の第２の突部の外縁部に押し当てられて張られたマイクロホン取付装置。
【請求項２】
マイクロホンと、一端にこのマイクロホンを挿着する為の開口部を、他端に中央に開口部を設けた凸部を有するマイクロホン支持体と、前記マイクロホン支持体が挿着される底部に長孔を有する凹部がその内壁に設けられた本体ケースと、前記本体ケース凹部底面と、前記マイクロホン支持体の凸部底面の外周側の１部とに挟設された防水シートからなり、前記マイクロホン支持体の凸部上面の外縁に前記防水シートが押し当てられて張られたマイクロホン取付装置。
【発明の詳細な説明】
【０００１】
【発明の属する技術分野】
本発明は、マイクロホン装置を備えたインターホン子機及び監視カメラ装置に関するものであり、特にそのマイクロホン装置の防水構造に関するものである。
【０００２】
【従来の技術】
インターホン装置において、玄関の壁面等に屋外用のインターホン子機を設置したり、あるいは監視用カメラを屋外に設置する際には、内部の電気部品等を雨水から保護する為に防水構造が採られている。インターホン子機には通常マイクロホン装置が取付けられているが、最近の監視カメラにもマイクロホン装置が取付けられているものが増えている。マイクロホン装置においては、本体ケースの前面部にマイクロホン装置に音を伝える為の開口部が設けられており、その開口部からの雨水等の侵入を防ぐと同時に開口部から伝わる音の振動をマイクロホンに伝達する為の防水シートが装着されている。そして本体ケースの開口部下方には表面張力による水滴の付着を防止する為、例えば特許文献１には水滴を自重により下方に導くよう溝部を設ける事が記載されている。
【０００３】
図３に従来のマイクロホン取付け装置を示す。（ａ）はその断側面図、（ｂ）は平面図である。マイクロホン３がマイクロホン支持体１に挿着され、このマイクロホン支持体１が本体ケース２の凹部に防水シート４を挟み込んで挿着されている。屋外に設置された該マイクロホン装置に雨水５が付着した場合、開口部に設けられた溝部２ｅを伝わって雨水の自重で流れていく構造となっている。
【０００４】
【特許文献１】
特開２００１−１７７６１６号公報
【０００５】
【発明が解決しようとする課題】
しかし上記従来の技術では、防水シート４と本体ケース２の凹部２ｄとの間に表面張力により付着した水滴５の自重が表面張力の接着力以下の場合は完全には流れ落ちず、防水シート４に付着した状態となる。又、インターホン子機は屋外の壁面、又は、門壁等に取付けられるのが一般的であり、その場合は必ずしも壁面が垂直であるとは限らない、例えば上向きに傾斜して取付けられた場合、水滴５は重力の影響を受け難くなり、より大きな水滴となって防水シート４に付着し、音の伝達に大きな障害となって、マイクロホンの感度が低下するといった課題を有していた。
【０００６】
【課題を解決するための手段】
上記課題を解決する為に、本発明は、マイクロホン支持体の外周部に設けた第１の環状突部と本体ケースとの間で防水シートを確実に挟設し、第１の環状突部の内側に、これより高い第２の環状突部によって防水シートを外側に押し出し、たるみを無くして張ることにより、挟設部と振動部を完全に分離することが可能となり、さらに、第１の環状突部と第２の環状突部との間の防水シートが斜めに張られることにより、水滴が付着しても溝部に流れ落ちるのが容易となるものである。
【０００７】
【発明の実施の形態】
本発明の請求項１に記載の発明は、マイクロホンと、一端にこのマイクロホンを挿着する為の開口部を、他端の外周に第１の環状突部、内周に前記第１の環状突部より高い第２の環状突部、中央に開口部を有するマイクロホン支持体と、前記マイクロホン支持体が挿着される底部に長孔を有する凹部がその内側に設けられた本体ケースと、前記本体ケース凹部の底面と前記マイクロホン支持体の第１の突部の外縁部により挟設された防水シートからなり、前記防水シートが前記マイクロホン支持体の第２の突部の外縁部に押し当てられて張られたものであり、たとえ水滴が付着しても音の伝達に影響を受けないという作用を有したものである。
【０００８】
（実施の形態１）
本発明のマイクロホン取付装置がインターホン子機に装着された場合について説明する。図１は本発明の請求項１記載のマイクロホン支持体１が本体ケース２に装着された状態を表すものであり、（ａ）が側断面図、（ｂ）が平面図を示すものである。
【０００９】
マイクロホン３はマイクロホン支持体１に挿着されている。前記マイクロホン支持体１のマイクロホン３の反対側端面外周には第１の環状突部１ａが設けられ、前記第１の環状突部１ａの内周には、第１の環状突部１ａより高い第２の環状突部１ｂが設けられている。前記第２の環状突部１ｂの内側中央部にはマイクロホン３に音の振動を伝達する為の開口孔１ｃが設けられている。
【００１０】
本体ケース２の内側には、前記マイクロホン支持体１を挿着する為の、環状突部２ａが設けられており、その底面２ｂには中央にマイクロホン３に音を伝える為の長孔２ｃを有した凹面２ｄが設けられている。防水シート４は前記マイクロホン支持体１の第１の環状突部１ａと前記本体ケース２の環状突部２ａの底面２ｂに挟設されて取付けられ、前記マイクロホン支持体１の第２の環状突部１ｂに押し出されるように張られて取り付けられている。
【００１１】
本体ケース２の長孔２ｃの外側下方には長孔２ｃから侵入した雨水等の水滴５を下方に流れやすくする為の溝部２ｅが設けられている。このとき、本体ケース２の長孔２ｃから侵入した雨水等の水滴５は防水シート４と本体ケース２の凹面２ｄの周囲及び長孔２ｃの側壁２ｆに表面張力により付着する。防水シート４はマイクロホン支持体１の第２の環状突部１ｂにより前方に押し出される形状となっている。その為、第２の環状突部１ｂの外側に位置する防水シート４のＢの範囲は傾斜した状態となり、付着した水滴５は重力の影響を受けやすくなり、大きく溜まる前に下方に移動し溝部２ｅに導かれ流れ落ちる。
【００１２】
また、マイクロホン３に音を伝える為に振動する部分は第２の環状突部１ｂの内側Ａの範囲であり、水滴５が微量であり自重により下方に流れず残ったとしても防水シート４のＡの範囲は影響を受けず、マイク感度を低下させることなく、正常な通信状態を確保できるのである。
【００１３】
次に、インターホン子機が壁面に上向きに傾斜して取付けられた場合を説明する。本体ケースの長孔２ｃから侵入した雨水等の水滴５は防水シート４と本体ケース２の凹面２ｄの周囲及び長孔２ｄの側壁２ｆと溝部２ｅの上壁２ｇに表面張力により付着する。このとき、防水シート４はマイク支持体１の第２の環状突部１ｂに押し出された形状となっており第２の環状突部１ｂの外側Ｂの範囲は傾斜している為、水滴５は重力の影響を受けやすくなり、下方に流れる。また、マイクロホン３に音を伝える為に振動する部分は第２の環状突部１ｂの内側Ａの範囲であり、水滴５が微量であり自重により下方に流れず残ったとしても防水シート４のＡの範囲は影響を受けず、マイク感度を低下させることなく、正常な通信状態を確保できるのである。
【００１４】
（実施の形態２）
図２は本発明の請求項２のマイクロホン支持体１が本体ケース２に装着された状態を表すものであり、マイクロホン３はマイクロホン支持体１に挿着されている。前記マイクロホン支持体１のマイクロホン３の反対側には凸部１ｄが設けられ、その中央部にはマイクロホン３に音の振動を伝達する為の開口孔１ｃが設けられている。本体ケース２の内側には、前記マイクロホン支持体１を挿着する為の、環状突部２ａが設けられており、その底面２ｂには中央にマイクロホン３に音を伝える為の長孔２ｃを有した凹面２ｄが設けられている。
【００１５】
防水シート４は前記マイクロホン支持体１の凸部１ｄの底面外縁１ｅと前記本体ケース２の環状突部２ａの底面２ｂに挟設されて取付けられ、前記マイクロホン支持体１の凸部１ｄに押し出されるように張られて取り付けられている。本体ケース２の長孔２ｃの外側下方には長孔２ｃから侵入した雨水等の水滴５を下方に流れやすくする為の溝部２ｅが設けられている。このとき、本体ケース２の長孔２ｃから侵入した雨水等の水滴５は防水シート４と本体ケース２の凹面２ｄ周囲及び長孔２ｃの側壁２ｆに表面張力により付着する。防水シート４はマイクロホン支持体１の凸部１ｄにより前方に押し出される形状となっている。その為、凸部１ｄの外側に位置する防水シート４のＢの範囲は傾斜した状態となり、付着した水滴５は重力の影響を受けやすくなり、大きく溜まる前に下方に移動し溝部２ｅに導かれ流れ落ちる。
【００１６】
また、マイクロホン３に音を伝える為に振動する部分は凸部１ｄの内側Ａの範囲であり、水滴５が微量であり自重により下方に流れず残ったとしても防水シート４のＡの範囲は影響を受けず、マイク感度を低下させることなく、正常な通信状態を確保できるのである。
【００１７】
【発明の効果】
以上のように、本発明によれば、マイクロホンがマイクロホン支持体に挿着されたマイクロホン取付装置が、防水シートを挟み込んだ部分の内側の環状の突部を防水シートに押し当てることにより、防水シートを外側に押し出し、たるみを無くして張ることにより、挟設部と振動部を完全に分離することが可能となり、さらに、防水シートが斜めに張られることにより、水滴が付着しても溝部に流れ落ちるのが容易な構造となり、わずかな水滴による音の伝達への影響を防ぎ、インターホン子機が傾斜して取付けられた場合でも、安定した通信状態を得ることができる。
【図面の簡単な説明】
【図１】本発明の実施の形態１におけるマイクロホン取付装置の構造図
【図２】同実施の形態２におけるマイクロホン取付装置の構造図
【図３】従来のマイクロホン取付装置の構造図
【符号の説明】
１  マイクロホン支持体
１ａ  第１の環状突部
１ｂ  第２の環状突部
１ｃ  開口孔
１ｄ  凸部
２  本体ケース
２ａ  環状突部
２ｂ  底面
２ｃ  長孔
２ｄ  凹面
２ｅ  溝部
２ｆ  側壁
２ｇ  上壁
３  マイクロホン
４  防水シート
５  水滴
【図１】
2004187229.tif 000003
【図２】
2004187229.tif 000004
【図３】
2004187229.tif 000005